(57)【要約】    【課題】      フォーカスロック後にカメラ位置を動かしてもピントを合わせた被写体を確認することができる利便性にすぐれたディジタルカメラ装置を提供すること。    【解決手段】  ディジタルカメラ装置は、被写体と対面するレンズ１０と、撮像素子１１と、信号処理部１２と、圧縮部１３と、蓄積部１４と、レンズ駆動部１５と、ＡＦ演算部１６と、ＡＦエリア取り出し部１７と、復号部１８と、表示制御部１９と、表示部２０と、全体を統括する制御部２１と、第1のスイッチ２２ａと、第２のスイッチ２２ｂと、から主に構成される。表示部２０は、信号処理部１２から入力されたディジタル画像データ１０１が表示される第１の画像領域２０１と、ＡＦエリア取り出し部１７から入力されたＡＦエリア画像データ１０４が表示される第１の画像領域２０１とは別個に区画された第２の画像領域２０２との少なくとも二つの画像領域が形成可能である。  【選択図】      図１
2006157819.tif 000002
【特許請求の範囲】
【請求項１】
レンズにより投影された被写体像を映像信号として出力する撮像素子と、
前記撮像素子が出力した映像信号をディジタル画像データに変換する信号処理手段と、
前記ディジタル画像データから所定の領域の画像データをＡＦエリア画像データとして取り出すＡＦエリア取り出し手段と、
前記ＡＦエリア画像データから前記レンズの駆動を制御するための合焦レベル信号を生成するＡＦ演算手段と、
前記合焦レベル信号に基づきレンズを駆動してフォーカス調整を行うためのレンズ駆動手段と、
少なくとも相互に独立した第１の画像領域および第２の画像領域が形成可能な表示手段と、
前記ディジタル画像データを前記第１の画像領域に表示し、および前記ＡＦエリア画像データを前記第２の画像領域に別個に表示するための駆動信号を生成する表示制御手段と
を具備することを特徴とするディジタルカメラ装置。
【請求項２】
第１のスイッチと、
この第１のスイッチの押下を検出する手段、および前記フォーカス調整の完了を検出するフォーカスロック検出手段と
を具備し、
前記レンズ駆動手段は前記第１のスイッチの押下の検出に応答して前記レンズの駆動を開始し、前記表示制御手段はフォーカスロックの検出に応答して、前記ＡＦエリア画像データの更新を停止して前記第２の画像領域に静止画像表示することを特徴とする請求項１に記載のディジタルカメラ装置。
【請求項３】
第２のスイッチと、
この第２のスイッチの押下を検出する手段と、
前記ディジタル画像データから蓄積画像データを生成する圧縮手段と、
前記蓄積画像データを蓄積する蓄積手段と
を具備し、
前記圧縮手段は前記第２のスイッチの押下の検出に応答して、前記ディジタル画像データから前記蓄積画像データを生成して前記蓄積手段へ蓄積するとともに、前記表示制御手段は前記第１の画像領域に表示される前記ディジタル画像データの更新を停止して静止画像表示することを特徴とする請求項２に記載のディジタルカメラ装置。
【請求項４】
所定のグラフィックデータを発生するグラフィックデータ発生手段を具備し、
前記表示制御手段は前記第２のスイッチの押下の検出に応答して、前記フォーカスロックの検出の有無を判定し、フォーカスロックが検出されていない場合、前記ＡＦエリア画像データに替えて前記所定のグラフィックデータを前記第２の画像領域に表示する制御を行うことを特徴とする請求項３に記載のディジタルカメラ装置。
【請求項５】
前記蓄積画像データを復号して再生静止画像データを生成する復号手段を具備し、
前記第２のスイッチの押下の検出に応答し、前記復号手段は前記蓄積画像データを復号して再生静止画像データを生成し、前記表示制御手段は前記第１の画像領域に前記再生静止画像データを所定期間だけ静止画像表示する制御を行うことを特徴とする請求項３または請求項４に記載のディジタルカメラ装置。
【請求項６】
前記表示制御手段は、前記第１の画像領域に前記再生静止画像データの所定期間の静止画像表示終了に応答して、前記第１の画像領域に前記ディジタル画像データを、また前記第２の画像領域に前記ＡＦエリア画像データを、各々動画像表示することを特徴とする請求項５に記載のディジタルカメラ装置。
【請求項７】
請求項１から請求項６のいずれかに記載のディジタルカメラ装置を内蔵することを特徴とする電子装置。
【発明の詳細な説明】
【技術分野】
【０００１】
本発明はディジタルカメラ装置に関し、特に、静止画像撮影機能を備え、且つ表示手段を具備した電子装置に用いて好適なディジタルカメラ装置に関する。
【背景技術】
【０００２】
レンズなどの光学系を通して固体撮像素子上に得られた被写体像を、電子データとして記録するディジタルカメラ装置が広く普及している。また、携帯電話に代表される電子装置においても、上記ディジタルカメラ装置を内蔵することにより静止画像記録機能を実現している。
【０００３】
このような電子装置は、一般にＬＣＤ（Liquid Crystal Display）に代表される表示手段を具備し、静止画像撮影時にディジタルカメラ装置から出力される動画像を表示することでファインダーとして、また、撮影後の蓄積画像データを復号して表示することでビューワとして、使用することができる。加えてＬＣＤ表示装置は、高精細のものが極めて安価に提供されるようになっている。このようなＬＣＤ表示装置の活用により、ディジタルカメラ装置の操作性の一層の向上が期待されている。
【０００４】
またディジタルカメラ装置や電子装置の中には、オートフォーカス（ＡＦ）を装備し、撮影時のフォーカス調整を自動的に行うことで、撮影者の利便性の向上と、撮影画像の高画質化を実現しているものがある。
【０００５】
一般に、ＡＦは撮影画面の中央にある測距領域（ＡＦエリア）にある被写体についてフォーカス調整を行う。よって撮影者がフォーカスを合わせるべく意図している主要な被写体が撮影画面の中央にない場合は、一時的に主要な被写体を撮影画面の中央にするようディジタルカメラ装置位置を動かしてＡＦを作動させてフォーカスロックを行った後、所望の構図となるようディジタルカメラ装置位置をさらに動かして撮影を行っている。
【０００６】
ここで、上記したフォーカスロックの操作を行った場合、フォーカスロック実行から実際の撮影動作までの間でディジタルカメラ装置を動かすため、所望の被写体で正しくフォーカスロックが行われたか否かが、撮影者には分かりにくいという課題があった。
【０００７】
上記の課題を解決するため従来からフォーカスロック位置を表示する方法が種々提案されている。
【０００８】
その一つは、ＡＦエリア相当の画像を拡大してファインダーに表示するようにし、さらに撮影者の操作によって撮像素子から得られる画像信号全体と前記ＡＦエリア相当の画像を拡大した信号とを選択できるようにする。この構成により、ファインダー内情報を煩雑にすることなく、撮影者が全体の被写体構成も見失うことなく、確実にフォーカス合わせができるようにすることができる（例えば、特許文献１参照）。
【０００９】
またディジタルカメラ装置のブレを検出するブレ検出手段を具備し、前記ブレ検出手段の出力に基づいてフォーカスロック後にディジタルカメラ装置が動いた量を算出して、ファインダーにフォーカスロックが行われた位置を表示するようにする。この構成により、フォーカスロックが行われた位置を、所望の構図となるようカメラ位置をさらに動かした後でも撮影者が確認することができる（例えば、特許文献２参照）。
【特許文献１】特開平１１−１６４１７６公報
【特許文献２】特開２０００−３３０１８４公報
【発明の開示】
【発明が解決しようとする課題】
【００１０】
しかしながら、特許文献１記載の構成においては、撮像素子から得られる画像信号全体と前記ＡＦエリア相当の画像を拡大した信号との選択を行うために撮影者の選択指示が必要であり、操作が煩雑である。また、フォーカスロック後にカメラ位置が動いていれば、ＡＦエリア相当の画像を拡大した信号を選択しても実際にフォーカスを合わせた被写体が表示されず、撮影者の利便性に欠ける。
【００１１】
また、特許文献２記載の構成においては、ディジタルカメラ装置のブレを検出するために例えばジャイロスコープが必要であり、ハードウェア規模の増大を招く。
【００１２】
本発明はかかる点に鑑みてなされたものであり、静止画像撮影機能を備え、且つ表示手段を具備した電子装置に好適なディジタルカメラ装置、すなわちジャイロスコープ等のブレ検出手段を必要とせず、かつ、撮影者の特別な操作を必要とせず、撮影者が撮像素子から得られる画像信号全体とＡＦエリアの画像を同時に視認可能とし、フォーカスロック後にカメラ位置を動かしてもフォーカスを合わせた被写体を確認することができる利便性にすぐれたディジタルカメラ装置を提供することを目的とする。
【課題を解決するための手段】
【００１３】
本発明のディジタルカメラ装置は、レンズにより投影された被写体像を映像信号として出力する撮像素子と、前記撮像素子が出力した映像信号をディジタル画像データに変換する信号処理手段と、前記ディジタル画像データから所定の領域の画像データをＡＦエリア画像データとして取り出すＡＦエリア取り出し手段と、前記ＡＦエリア画像データから前記レンズの駆動を制御するための合焦レベル信号を生成するＡＦ演算手段と、前記合焦レベル信号に基づきレンズを駆動してフォーカス調整を行うためのレンズ駆動手段と、少なくとも相互に独立した第１の画像領域および第２の画像領域が形成可能な表示手段と、前記ディジタル画像データを前記第１の画像領域に表示し、および前記ＡＦエリア画像データを前記第２の画像領域に別個に表示するための駆動信号を生成する表示制御手段とを具備する構成を採る。
【発明の効果】
【００１４】
本発明によれば、撮影者が撮像素子から得られる画像信号全体とＡＦエリアの画像を同時に視認可能とできるため、本発明のディジタルカメラ装置の利便性向上に寄与する。
【発明を実施するための最良の形態】
【００１５】
以下、本発明の一実施の形態について図面を参照して詳細に説明する。
【００１６】
（一実施の形態）
図１は、本発明の一実施の形態に係るディジタルカメラ装置の構成を示すブロック図である。
【００１７】
図１において、ディジタルカメラ装置は、被写体と対面するレンズ１０と、撮像素子１１と、信号処理部１２と、圧縮部１３と、蓄積部１４と、レンズ駆動部１５と、ＡＦ演算部１６と、ＡＦエリア取り出し部１７と、復号部１８と、表示制御部１９と、表示部２０と、全体を統括する制御部２１と、第1のスイッチ２２ａと、第２のスイッチ２２ｂと、から主に構成される。表示部２０は、信号処理部１２から入力されるディジタル画像データ１０１が表示される第１の画像領域２０１と、ＡＦエリア取り出し部１７から入力されたＡＦエリア画像データ１０４が表示される第１の画像領域２０１とは別個に区画された第２の画像領域２０２との少なくとも二つの画像領域が形成可能である。
【００１８】
被写体からの光は、レンズ１０を通して撮像素子１１に入射し被写体像を形成する。撮像素子１１は、入射した被写体からの光に光電変換を施し、映像信号１００を信号処理部１２へ出力する。
【００１９】
信号処理部１２は、入力された映像信号１００に対して、例えば輝度成分及び色差成分生成演算やホワイトバランス調整などの信号処理を施してディジタル画像データ１０１を生成し、圧縮部１３とＡＦエリア取り出し部１７と表示制御部１９へ出力する。
【００２０】
ディジタル画像データ１０１は動画像であり、時間的に連続した静止画像から構成されている。圧縮部１３は、入力されたディジタル画像データ１０１を構成する静止画像に対し圧縮処理を施して蓄積画像データ１０２を生成し、蓄積部１４へ出力する。
【００２１】
ここで、圧縮処理としては例えばＪＰＥＧ方式などがあるが、もちろん他の方式を用いても良く、あるいはディジタル画像データ１０１を構成する静止画像を非圧縮でそのまま蓄積画像データ１０２とし、蓄積部１４へ出力しても良い。
【００２２】
蓄積部１４は、ＲＡＭ、フラッシュメモリ、取り外し可能なメモリカードなどの記憶素子であり、圧縮部１３が出力した蓄積画像データ１０２を記憶蓄積する。
【００２３】
復号部１８は、蓄積部１４から蓄積画像データ１０２を読み出し、再生静止画像データ１０５を生成して表示制御部１９へ出力する。
【００２４】
ＡＦエリア取り出し部１７は、入力されたディジタル画像データ１０１から所定の領域（ＡＦエリア）のデータをＡＦエリア画像データ１０４として取り出し、ＡＦ演算部１６と表示制御部１９へ出力する。一般にＡＦエリアはディジタル画像データ１０１の中心部の矩形領域であるが、これが任意の形状、位置、大きさの領域であっても良い。さらに必要ならばこのＡＦエリアが撮影者によって任意の形状、位置、大きさ設定可能になるようディジタルカメラ装置が構成されていても良い。
【００２５】
ＡＦエリア画像データ１０４は通常動画像であり、時間的に連続した静止画像から構成されている。ＡＦ演算部１６は、ＡＦエリア画像データ１０４を構成する個々の静止画像データについて、それぞれ撮像素子１１に投影される被写体像の合焦レベルを演算し、合焦レベル信号１０３としてレンズ駆動部１５へ出力する。
【００２６】
ここで、ＡＦ演算部１６が演算する合焦レベルは、例えば、ＡＦエリア画像データ１０４を構成する静止画像データにバンド・パス・フィルタを適用して取り出した高周波成分（画像データの鮮鋭度）の強度を用いて算出することができる。
【００２７】
レンズ駆動部１５は、ＡＦ演算部１６が出力した合焦レベル信号１０３に基づいてレンズ１０を駆動し、合焦レベル信号１０３の強度が最適となるようにレンズ１０の焦点状態を制御する。また、合焦レベル信号１０３の強度が最適となりフォーカスロック状態となったことを制御部２１へ通知する。
【００２８】
表示制御部１９は、信号処理部１２から入力されたディジタル画像データ１０１を、カメラ出力画像として表示部２０に表示する。
【００２９】
また表示制御部１９は、復号部１８から入力された再生静止画像データ１０５を再生静止画像として表示部２０に表示する。さらに表示制御部１９は、ＡＦエリア取り出し部１７から入力されたＡＦエリア画像データ１０４を、ＡＦエリア画像として表示部２０に表示する。
【００３０】
制御部２１は、本発明の一実施の形態に係るディジタルカメラ装置全体の動作を統括するとともに、撮影者による第1のスイッチ２２ａと第２のスイッチ２２ｂの押下を各々検出するスイッチ押下検出部（図示しない）と、レンズ駆動部１５から入力される通知に基づきフォーカスロック状態を検出するフォーカスロック検出部（図示しない）を備え、このスイッチ押下検出部及びフォーカスロック検出部からの信号に従って圧縮部１３、ＡＦ演算部１６、表示制御部１９などの動作を制御する。
【００３１】
図２は、一実施の形態に係るディジタルカメラ装置を構成する表示制御部１９の内部構成と、表示部２０における表示レイアウトの例を示す説明図である。図２において、図１と同一のブロックについては同一の符号を付し、詳しい説明を省略する。
【００３２】
表示制御部１９は、フレームメモリ１９０と、解像度変換部１９１と、メモリ書き込み部１９２と、メモリ読み出し部１９３と、駆動部１９４と、グラフィックデータ発生部１９５と、から主に構成される。
【００３３】
表示部２０には、第１の画像領域２０１と、第１の画像領域２０１とは独立に設けられる第２の画像領域２０２と、ＡＦエリア枠２０３が形成される。
【００３４】
フレームメモリ１９０は、表示部２０に表示する画像データを記憶し、少なくとも表示部２０の解像度以上の記憶容量を持つ。
【００３５】
解像度変換部１９１は、信号処理部１２から入力されたディジタル画像データ１０１、及びＡＦエリア取り出し部１７から入力されたＡＦエリア画像データ１０４、及び復号部１８から入力された再生静止画像データ１０５に対して、必要に応じた解像度変換を施し、メモリ書き込み部１９２へ出力する。
【００３６】
グラフィックデータ発生部１９５は、所定のグラフィックデータを発生し、メモリ書き込み部１９２へ出力する。
【００３７】
メモリ書き込み部１９２は、解像度変換部１９１から入力された解像度変換後の画像データ、及びグラフィックデータ発生部１９５が発生したグラフィックデータを、フレームメモリ１９０へ書き込む。
【００３８】
フレームメモリ１９０に記憶された画像データは、メモリ読み出し部１９３によって駆動部１９４へ読み出される。
【００３９】
駆動部１９４はフレームメモリ１９０から読み出された画像データから、表示部２０に表示するための駆動信号１０６を生成し、表示部２０へ出力する。
【００４０】
表示部２０は、入力された駆動信号１０６に基づいて、フレームメモリ１９０に記憶された画像データの表示を行う。
【００４１】
ここで例えば、第１の画像領域２０１に、信号処理部１２から入力されるディジタル画像データ１０１を表示する場合は、まず解像度変換部１９１がディジタル画像データ１０１の解像度を第１の画像領域２０１と等しい解像度へ変換する。そして、メモリ書き込み部１９２が解像度変換後の画像データを、フレームメモリ１９０の中で第１の画像領域２０１が記憶されているアドレスへ書き込む。
【００４２】
このとき、グラフィックデータ発生部１９５が発生したＡＦエリアを示すグラフィックデータを、第１の画像領域２０１に表示されるディジタル画像データ１０１に重ねてフレームメモリ１９０へ書き込むことで、第１の画像領域２０１にＡＦエリア枠２０３を表示することができる。
【００４３】
同様にして例えば、第２の画像領域２０２に、ＡＦエリア取り出し部１７から入力されたＡＦエリア画像データ１０４を表示する場合は、まず解像度変換部１９１がＡＦエリア画像データ１０４の解像度を第２の画像領域２０２と等しい解像度へ変換する。そして、メモリ書き込み部１９２が解像度変換後の画像データを、フレームメモリ１９０の中で第２の画像領域２０２が記憶されているアドレスへ書き込む。
【００４４】
同様にして、復号部１８から入力された再生静止画像データ１０５についても、解像度変換部１９１、及びメモリ書き込み部１９２によって、表示部２０に任意の位置に任意の大きさで表示することができる。
【００４５】
さらに、グラフィックデータ発生部１９５が発生したブルーバック画像などの所定のグラフィックデータについても、解像度変換部１９１、及びメモリ書き込み部１９２によって、表示部２０に任意の位置に任意の大きさで表示することができる。
【００４６】
以上のように、本発明の一実施の形態の構成によれば、表示部２０の任意の位置に任意の大きさで、信号処理部１２から入力されたディジタル画像データ１０１、及びＡＦエリア取り出し部１７から入力されたＡＦエリア画像データ１０４、及び復号部１８から入力された再生静止画像データ１０５、及びグラフィックデータ発生部１９５が発生した所定のグラフィックデータを表示することができる。
【００４７】
特に、信号処理部１２から入力されたディジタル画像データ１０１、及びＡＦエリア取り出し部１７から入力されたＡＦエリア画像データ１０４については、各々を構成する連続した静止画像をフレームメモリ１９０の同一アドレスに連続して書き込むことで、表示部２０に動画表示を行うことができる。さらに、任意の時点でフレームメモリの書き込みを停止することで、その時点でのディジタル画像データ１０１や、ＡＦエリア取り出し部１７の静止画像を表示部２０に静止画表示（フリーズ表示）することができる。
【００４８】
なお図２の例では、第１の画像領域２０１を大画面、第２の画像領域２０２を小画面として表示レイアウトした例を示したが、これは本発明を限定するものではなく、解像度変換部１９１での解像度変換と、メモリ書き込み部１９２でのフレームメモリ１９０への書き込みアドレス制御によって様々な表示レイアウトが形成できることは自明である。
【００４９】
また、ＡＦエリア枠２０３の表示は必須ではなく、仮にＡＦエリア枠２０３の表示がなくても本発明の効果が損なわれることはない。
【００５０】
図３から図５は、一実施の形態に係るディジタルカメラ装置で静止画撮影を行う場合の表示画像の例を示す図である。また図６は、一実施の形態に係るディジタルカメラ装置の制御の例を示すフロー図である。
【００５１】
ディジタルカメラ装置を起動（Ｓ１）した直後は、図３に示すように第1の画像領域２０１に信号処理部１２から入力されるディジタル画像データ１０１が動画像表示される。同時に第１の画像領域２０１とは別個に区画された第２の画像領域２０２に、ＡＦエリア取り出し部１７から入力されたＡＦエリア画像データ１０４が動画像表示される（Ｓ２）。また、第１の画像領域２０１にはＡＦエリア枠２０３が表示される。
【００５２】
図３はステップＳ２での表示画像の例であり、第1の画像領域２０１と第２の画像領域２０２のいずれにも動画像が表示されている。この時、ＡＦエリア枠２０３の内側の画像と第２の画像領域２０２に表示された画像は同一となる。これによって、撮影者は確実に、まだフォーカス調整（フォーカスロック）が完了していないことを視認できる。
【００５３】
図４は、図３の状態からディジタルカメラ装置を動かし、撮影者がピントを合わせたい主要な被写体（図４では、人間を模式的に示している。）をＡＦエリア枠２０３の内部に位置するようにした状態を示している。
【００５４】
図４の状態において、制御部２１が第1のスイッチ２２ａの押下を検出すると（Ｓ３）、ＡＦ演算部１６が合焦レベル信号１０３をレンズ駆動部１５へ出力し、レンズ駆動部１５が合焦レベル信号１０３の強度が最適となるようにレンズ１０の焦点状態を制御する。そして、合焦レベル信号１０３の強度が最適となるレンズ１０の焦点状態が確定した時点でフォーカスロックとなる（Ｓ４）。
【００５５】
フォーカスロックとなった時点で、表示制御部１９は第２の画像領域２０２に表示する画像データの更新を停止する。これによって、フォーカスロック状態の間は、第２の画像領域２０２にフォーカスロックが行われた時点のＡＦエリア画像データ１０４が静止画像としてフリーズ表示されることとなる（Ｓ５）。これによって撮影者は、動画状態が静止画に変わる事によりフォーカスロック状態になったこと及びフォーカスを合わせている主要な被写体がいずれであるのかを確実に視認することができる。
【００５６】
図５は、図４の状態から所望の構図となるよう撮影者がディジタルカメラ装置位置をさらに動かした状態を示している。この状態では、第1の画像領域２０１に信号処理部１２から入力されるディジタル画像データ１０１が動画像表示され、第２の画像領域２０２にフォーカスロックが行われた時点のＡＦエリア画像データ１０４が静止画像表示されている。
【００５７】
これによって撮影者は、現在ディジタルカメラ装置が撮影している全画面の画像と、フォーカスロックが行われた時点のＡＦエリア画像とを同時に確認することが可能となる。
【００５８】
図５の状態において、制御部２１が第２のスイッチ２２ｂの押下を検出すると（Ｓ６）、表示制御部１９は第１の画像領域２０１に表示する画像データの更新を停止する。これによって、第１の画像領域２０１に第２のスイッチ２２ｂが押下された時点のディジタル画像データ１０１が静止画像としてフリーズ表示されることとなる（Ｓ７）。これによって撮影者は、自己が撮影した画像を知覚する。
【００５９】
また、圧縮部１３は入力されたディジタル画像データ１０１から蓄積画像データ１０２を生成し（Ｓ１０）、蓄積部１４は蓄積画像データ１０２を記憶する（Ｓ１１）。
【００６０】
復号部１８は、蓄積部１４から蓄積画像データ１０２を読み出し、これを復号して再生静止画像データ１０５を生成し、表示制御部１９へ出力する（Ｓ１２）。
【００６１】
表示制御部１９は、第１の画像領域２０１に復号部１８から入力された再生静止画像データ１０５を所定の期間だけ表示した後（Ｓ１３）、表示部２０の表示をディジタルカメラ装置起動直後の状態（Ｓ２）へ戻す。この再生静止画像の表示期間は、撮影終了を認知できる程度のごく短いもので良い。すなわち、この所定期間経過後は、第１の画像領域２０１、第２の画像領域２０２とも動画像表示が再開されるので、撮影者は前回の撮影が終了し、初期状態に戻って続けて撮影が可能になったことを簡単に確認できる。
【００６２】
このような一連の動作により、本発明の一実施の形態のディジタルカメラ装置を用いれば、ジャイロ等のブレ検出手段を必要とせず、かつ、撮影者の特別な操作を必要とせず、撮影者が撮像素子から得られる画像信号全体とＡＦエリアの画像を同時に視認可能とし、さらにフォーカスロック後にディジタルカメラ装置位置を動かしてもフォーカスを合わせた注目の被写体を確認することができるため、撮影者は安心して撮影を継続でき、本発明のディジタルカメラ装置の利便性向上に寄与する。
【００６３】
なお、図６に示した制御の例では、再生静止画像データ１０５の表示（Ｓ１３）の後にディジタルカメラ装置起動直後の状態（Ｓ２）へ戻るようにしたが、これを圧縮部１３が蓄積画像データ１０２を生成（Ｓ１０）した後、若しくは、蓄積部１４が蓄積画像データ１０２を蓄積（Ｓ１１）した後にディジタルカメラ装置起動直後の状態（Ｓ２）へ戻るようにしても良い。この場合、ステップ（Ｓ１２）とステップ（Ｓ１３）の処理は不要となるため、本発明のディジタルカメラ装置の制御を簡略化することができる。
【００６４】
次に、ディジタルカメラ装置起動直後の状態（Ｓ２）において、第１のスイッチ２２ａではなく第２のスイッチ２２ｂの押下を検出した場合は（Ｓ８）、表示制御部１９は第１の画像領域２０１画像データの更新を停止する。一方第２の画像領域にはＡＦエリア画像データ１０４に替えてグラフィックデータ発生部１９５からの所定画像データ（例えばブルーバックデータ）加えるようにして第２の画像領域２０２に表示するブルーバック画像を表示する。これによって、第１の画像領域２０１に第２のスイッチ２２ｂが押下された時点のディジタル画像データ１０１が静止画像としてフリーズ表示され、同時に第２の画像領域にはブルーバック画像が表示されることとなる（Ｓ９）。
【００６５】
このように、本実施の形態のディジタルカメラ装置を用いれば、撮影者がフォーカス調整の操作を行わずに撮影の指示を行った場合、第２の画像領域２０２にブルーバック画像を表示する。この場合、通常行われるフォーカス調整をした上で撮影した場合と、表示部２０の、特に第２の画像表示部２０２の表示態様は相当印象が異なるものとなる。これによって撮影時にフォーカスロック状態となっていないことを撮影者に視認せしめることができるため、撮影者の必要に応じて撮影のやり直しを即座に行うことができ、フォーカスの合っていない所謂ピンボケによる撮影失敗の低減を可能にし、本発明のディジタルカメラ装置の利便性向上に寄与する。
【００６６】
なお、図６に示した制御の例では、ステップＳ９において第２の画像領域２０２にブルーバック画像を表示したが、この画像はブルーバック画像に限定されることはなく、撮影者にフォーカス調整が完了していないことを知らしめることができるものであれば、任意の画像を表示することでも同様な効果作用が得られることは自明である。
【００６７】
さらに、図６のフロー図で示した制御の例では、第１のスイッチ２２ａの押下より先に第２のスイッチ２２ｂの押下を検出した場合にステップ（Ｓ９）の処理を行ったが、第１のスイッチ２２ａの押下より後に第２のスイッチ２２ｂの押下を検出した場合でも、フォーカスロックの制御（Ｓ４）が完了する前に第２のスイッチ２２ｂが押下された場合にはステップ（Ｓ９）の処理を実行するようにしても良い。
【００６８】
図７は、本発明の一実施の形態のディジタルカメラ装置を内蔵した電子装置である携帯電話の例を示した説明図である。
【００６９】
図７の電子装置は、筐体７０と、操作キー７１と、表示部２０と、から主に構成される。操作キー７１は、ＡＦキー７１ａと決定キー７１ｂとディジタルカメラ装置キー７１ｃとを含む。またディジタルカメラ装置は筐体７０に内蔵されており、撮影者が表示部２０を見たときにレンズ１０が被写体側を向くように配置されている。
【００７０】
図７には図示されていないが、撮像素子１１はレンズ１０の直下に配置され、信号処理部１２と、圧縮部１３と、蓄積部１４と、レンズ駆動部１５と、ＡＦ演算部１６と、ＡＦエリア取り出し部１７と、復号部１８と、表示制御部１９と、制御部２１は、筐体７０の内部に配置されている。
【００７１】
図７に示すような電子機器である携帯電話の場合、各種のキーが多数配列されるので、この多数のキーを兼用的に利用することができる。すなわち、この例では、ＡＦキー７１ａに第１のスイッチ２２ａを割り当て、決定キー７１ｂに第２のスイッチ２２ｂを割り当てている。
【００７２】
図７の電子装置では、例えばディジタルカメラ装置キー７１ｃによってディジタルカメラ装置機能をＯＮすることで、第１の画像領域２０１に信号処理部１２から入力されるディジタル画像データ１０１が動画像表示され、同時に第２の画像領域２０２に、ＡＦエリア取り出し部１７から入力されたＡＦエリア画像データ１０４が動画像表示される。また、第１の画像領域２０１にはＡＦエリア枠２０３が表示される。
【００７３】
その後、第１のスイッチ２２ａを操作することでフォーカス調整が行われ、フォーカスロック状態の期間は第２の画像領域２０２に、フォーカスロックが行われた時点のＡＦエリア画像データ１０４が静止画像としてフリーズ表示される。
【００７４】
さらに、第２のスイッチ２２ｂの操作によって、圧縮部１３が入力されたディジタル画像データ１０１を構成する静止画像に対し圧縮処理を施して蓄積画像データ１０２を生成し、蓄積部１４へ出力することで、静止画像の撮影が行われる。
【００７５】
なお、図７の例では第１のスイッチ２２ａと第２のスイッチ２２ｂを独立して設けた構成としたが、これらをひとつのプッシュ型スイッチに一体化し、このプッシュ型スイッチを半押しした状態がスイッチ２２ａの押下に相当し、押し切った状態がスイッチ２２ｂの押下に相当するように構成しても良い。
【００７６】
このように一実施の形態に係るディジタルカメラ装置を具備した電子装置である携帯電話では、フォーカスロック状態において、現在ディジタルカメラ装置が撮影している全画面の画像と、フォーカスロックが行われた時点のＡＦエリア画像とを、撮影者が同時に確認することが可能となるなど作用効果を得ることができ、本発明のディジタルカメラ装置を具備した電子装置の利便性向上に寄与する。
【００７７】
なおこの電子装置は、携帯電話よりは一般的に高度な機能を持つＰＤＡなどの情報端末装置であっても良い。また、これらの情報端末装置は移動局装置として使用することもでき、この場合情報端末装置による移動局装置と他の装置など組み合わせて移動体通信システムを構成する事ができる。
【産業上の利用可能性】
【００７８】
本発明は、ディジタルカメラ装置のフォーカス調整を簡便に容易に行えるようにするもので、ディジタルカメラ装置の利便性向上に役立つ。
【図面の簡単な説明】
【００７９】
【図１】本発明の一実施の形態に係るディジタルカメラ装置の構成の例を示すブロック図
【図２】上記実施の形態に係るディジタルカメラ装置を構成する表示制御部の内部構成と、表示レイアウトの例を示す説明図
【図３】上記実施の形態に係るディジタルカメラ装置で静止画撮影を行う場合の表示画像の例を示す説明図
【図４】上記実施の形態に係るディジタルカメラ装置で静止画撮影を行う場合の表示画像の例を示す説明図
【図５】上記実施の形態に係るディジタルカメラ装置で静止画撮影を行う場合の表示画像の例を示す説明図
【図６】上記実施の形態に係るディジタルカメラ装置の制御の例を示すフロー図
【図７】上記実施の形態に係るディジタルカメラ装置を具備した電子装置の例を示す説明図
【符号の説明】
【００８０】
１０  レンズ
１１  撮像素子
１２  信号処理部
１３  圧縮部
１４  蓄積部
１５  レンズ駆動部
１６  ＡＦ演算部
１７  ＡＦエリア取り出し部
１８  復号部
１９  表示制御部
１９０  フレームメモリ
１９１  解像度変換部
１９２  メモリ書き込み部
１９３  メモリ読み出し部
１９４  駆動部
１９５  グラフィックデータ発生部
２０  表示部
２０１  第１の画像領域
２０２  第２の画像領域
２０３  ＡＦエリア枠
２１  制御部
２２ａ  第１のスイッチ
２２ｂ  第２のスイッチ
７０  筐体
７１  操作キー
７１ａ  ＡＦキー
７１ｂ  決定キー
７１ｃ  ディジタルカメラ装置キー
１００  映像信号
１０１  ディジタル画像データ
１０２  蓄積画像データ
１０３  合焦レベル信号
１０４  ＡＦエリア画像データ
１０５  再生静止画像データ
１０６  駆動信号
【図１】
2006157819.tif 000003
【図２】
2006157819.tif 000004
【図３】
2006157819.tif 000005
【図４】
2006157819.tif 000006
【図５】
2006157819.tif 000007
【図６】
2006157819.tif 000008
【図７】
2006157819.tif 000009